(57)【要約】【課題】専用直管形ＬＥＤランプ以外の直管形ＬＥＤランプ及び直管形蛍光ランプのランプソケットへの誤取付を確実に防止し、適切な組み合わせでの使用を推進して信頼性を確保する。【解決手段】直管形ＬＥＤランプが取り付けられるランプソケットに装着されて専用直管形ＬＥＤランプ以外の上記ランプのランプソケットへの誤取付を防止するための直管形ＬＥＤランプ取付具であって、ランプソケットに取り付けられるソケットアダプタと、これに設けられ、ソケットアダプタのランプソケットへの装着状態を使用者が解除不能に固定する固定手段とを備える。ソケットアダプタは、専用直管形ＬＥＤランプの口金先端部を、ソケットアダプタに覆われたランプソケットに着脱自在に接続させると共に、専用直管形ＬＥＤランプ以外の上記ランプの口金先端部がランプソケットに挿入されるのを規制する規制体を有する。【選択図】図１
2014235797.tif 000002
【特許請求の範囲】
【請求項１】
直管形ＬＥＤランプが取り付けられるランプソケットに装着されて専用直管形ＬＥＤランプ以外の直管形ＬＥＤランプ及び直管形蛍光ランプの前記ランプソケットへの誤取付を防止するための直管形ＬＥＤランプ取付具であって、
前記ランプソケットを覆うように取り付けられるソケットアダプタと、
前記ソケットアダプタに設けられ、該ソケットアダプタの前記ランプソケットへの装着状態を使用者が解除不能に固定する固定手段とを備え、
前記ソケットアダプタは、前記専用直管形ＬＥＤランプのＬＥＤランプ本体の端部の口金部に形成された段差部よりも小径でランプ端子側に筒状に延びた口金先端部を、前記ソケットアダプタに覆われたランプソケットに着脱自在に接続させると共に、前記専用直管形ＬＥＤランプ以外の直管形ＬＥＤランプ及び直管形蛍光ランプの口金先端部が前記ランプソケットに挿入されるのを規制する規制体を有する
ことを特徴とする直管形ＬＥＤランプ取付具。
【請求項２】
前記固定手段は、前記ランプソケットの一部と係合する係合部からなり、
前記係合部は、前記ランプソケットの一部と共に、一旦係合すると外せないワンウェイ係合構造を備える
ことを特徴とする請求項１記載の直管形ＬＥＤランプ取付具。
【請求項３】
前記ソケットアダプタは、前記口金先端部の前記ランプソケットへの接続時に、前記段差部に設けられた溝部に嵌まる片部を有する
ことを特徴とする請求項１又は２記載の直管形ＬＥＤランプ取付具。
【請求項４】
直管形ＬＥＤランプと、
この直管形ＬＥＤランプが取り付けられるランプソケットを有する器具本体と、
前記ランプソケットに装着されて専用直管形ＬＥＤランプ以外の直管形ＬＥＤランプ及び直管形蛍光ランプの前記ランプソケットへの誤取付を防止するための直管形ＬＥＤランプ取付具とを備えた照明器具であって、
前記直管形ＬＥＤランプは、
ＬＥＤランプ本体の端部の口金部に形成された段差部と、この段差部よりも小径でランプ端子側に筒状に延びた口金先端部とを有し、
前記直管形ＬＥＤランプ取付具は、
前記ランプソケットを覆うように取り付けられるソケットアダプタと、前記ソケットアダプタに設けられ、該ソケットアダプタの前記ランプソケットへの装着状態を使用者が解除不能に固定する固定手段とを有し、
前記ソケットアダプタは、前記専用直管形ＬＥＤランプの前記口金先端部を、前記ソケットアダプタに覆われたランプソケットに着脱自在に接続させると共に、前記専用直管形ＬＥＤランプ以外の直管形ＬＥＤランプ及び直管形蛍光ランプの口金先端部が前記ランプソケットに挿入されるのを規制する規制体を有する
ことを特徴とする照明器具。
【請求項５】
前記直管形ＬＥＤランプ取付具の前記固定手段は、前記ランプソケットの一部と係合する係合部からなり、
前記係合部は、前記ランプソケットの一部と共に、一旦係合すると外せないワンウェイ係合構造を備える
ことを特徴とする請求項４記載の照明器具。
【請求項６】
前記ソケットアダプタは、前記口金先端部の前記ランプソケットへの接続時に、前記段差部に設けられた溝部に嵌まる片部を有する
ことを特徴とする請求項４又は５記載の照明器具。
【請求項７】
請求項１又は２記載の直管形ＬＥＤランプ取付具を介してランプソケットに取り付けられる直管形ＬＥＤランプであって、
直管形のＬＥＤランプ本体と、
前記ＬＥＤランプ本体の端部の口金部に形成された段差部と、
この段差部よりも小径でランプ端子側に筒状に延びた口金先端部とを備え、
前記口金先端部は、前記直管形ＬＥＤランプ取付具が装着された前記ランプソケットに着脱自在に接続される
ことを特徴とする直管形ＬＥＤランプ。
【請求項８】
前記口金部に形成された段差部は、前記口金先端部の前記ランプソケットへの接続時に、前記直管形ＬＥＤランプ取付具に設けられた片部が嵌まる溝部を有する
ことを特徴とする請求項７記載の直管形ＬＥＤランプ。
【発明の詳細な説明】
【技術分野】
【０００１】
この発明は、専用直管形ＬＥＤランプ以外の直管形ＬＥＤランプ及び直管形蛍光ランプのランプソケットへの誤取付を防止するための直管形ＬＥＤランプ取付具、直管形ＬＥＤランプ及びこれらを備えた照明器具に関する。
【背景技術】
【０００２】
近年、従来の蛍光灯に比べて低消費電力のＬＥＤランプが用いられるようになってきている。ＬＥＤランプは、特に蛍光灯と外観上の相違が少ない直管形のものが蛍光灯の代替品として多用されてきている。そして、この直管形ＬＥＤランプの落下防止や振動低減等を目的として、照明器具への種々の固定方式も提案されている（例えば、下記特許文献１〜３参照）。
【先行技術文献】
【特許文献】
【０００３】
【特許文献１】実用新案登録第３１６７９４２号公報
【特許文献２】特開２００４−１２７８８１号公報
【特許文献３】特開２００４−１５８４０３号公報
【発明の概要】
【発明が解決しようとする課題】
【０００４】
しかしながら、上記特許文献１〜３に開示された従来技術の固定方式では、直管形ＬＥＤランプを蛍光灯のように容易に取り外して交換することができる反面、専用直管形ＬＥＤランプを単に構造的に互換性がある従来の蛍光ランプや蛍光ランプと互換性を有する直管形ＬＥＤランプの代替品として使用すると、照明器具と直管形ＬＥＤランプ又は直管形蛍光ランプとの不適合により点灯回路の破損や照明器具の焼損等の不具合が生じてしまう場合がある。
【０００５】
このような場合、使用者によって容易に専用直管形ＬＥＤランプの交換ができる利便性は確保しつつも、専用直管形ＬＥＤランプ以外の直管形ＬＥＤランプ又は直管形蛍光ランプの誤取付ができないように取付構造を工夫することが重要である。
【０００６】
この発明は、上述した従来技術による問題点を解消し、専用直管形ＬＥＤランプ以外の直管形ＬＥＤランプ又は直管形蛍光ランプのランプソケットへの誤取付を確実に防止することにより、適切な組み合わせでの使用を推進して信頼性を確保することができる直管形ＬＥＤランプ取付具、直管形ＬＥＤランプ及びこれらを備えた照明器具を提供することを目的とする。
【課題を解決するための手段】
【０００７】
本発明に係る直管形ＬＥＤランプ取付具は、直管形ＬＥＤランプが取り付けられるランプソケットに装着されて専用直管形ＬＥＤランプ以外の直管形ＬＥＤランプ及び直管形蛍光ランプの前記ランプソケットへの誤取付を防止するための直管形ＬＥＤランプ取付具であって、前記ランプソケットを覆うように取り付けられるソケットアダプタと、前記ソケットアダプタに設けられ、該ソケットアダプタの前記ランプソケットへの装着状態を使用者が解除不能に固定する固定手段とを備え、前記ソケットアダプタは、前記専用直管形ＬＥＤランプのＬＥＤランプ本体の端部の口金部に形成された段差部よりも小径でランプ端子側に筒状に延びた口金先端部を、前記ソケットアダプタに覆われたランプソケットに着脱自在に接続させると共に、前記専用直管形ＬＥＤランプ以外の直管形ＬＥＤランプ及び直管形蛍光ランプの口金先端部が前記ランプソケットに挿入されるのを規制する規制体を有することを特徴とする。
【０００８】
本発明の一実施形態においては、前記固定手段は、前記ランプソケットの一部と係合する係合部からなり、前記係合部は、前記ランプソケットの一部と共に、一旦係合すると外せないワンウェイ係合構造を備える。
【０００９】
本発明の他の実施形態においては、前記ソケットアダプタは、前記口金先端部の前記ランプソケットへの接続時に、前記段差部に設けられた溝部に嵌まる片部を有する。
【００１０】
本発明に係る照明器具は、直管形ＬＥＤランプと、この直管形ＬＥＤランプが取り付けられるランプソケットを有する器具本体と、前記ランプソケットに装着されて専用直管形ＬＥＤランプ以外の直管形ＬＥＤランプ及び直管形蛍光ランプの前記ランプソケットへの誤取付を防止するための直管形ＬＥＤランプ取付具とを備えた照明器具であって、前記直管形ＬＥＤランプは、ＬＥＤランプ本体の端部の口金部に形成された段差部と、この段差部よりも小径でランプ端子側に筒状に延びた口金先端部とを有し、前記直管形ＬＥＤランプ取付具は、前記ランプソケットを覆うように取り付けられるソケットアダプタと、前記ソケットアダプタに設けられ、該ソケットアダプタの前記ランプソケットへの装着状態を使用者が解除不能に固定する固定手段とを有し、前記ソケットアダプタは、前記専用直管形ＬＥＤランプの前記口金先端部を、前記ソケットアダプタに覆われたランプソケットに着脱自在に接続させると共に、前記専用直管形ＬＥＤランプ以外の直管形ＬＥＤランプ及び直管形蛍光ランプの口金先端部が前記ランプソケットに挿入されるのを規制する規制体を有することを特徴とする。
【００１１】
本発明の一実施形態においては、前記直管形ＬＥＤランプ取付具の前記固定手段は、前記ランプソケットの一部と係合する係合部からなり、前記係合部は、前記ランプソケットの一部と共に、一旦係合すると外せないワンウェイ係合構造を備える。
【００１２】
本発明の他の実施形態においては、前記ソケットアダプタは、前記口金先端部の前記ランプソケットへの接続時に、前記段差部に設けられた溝部に嵌まる片部を有する。
【００１３】
本発明に係る直管形ＬＥＤランプは、上記記載の直管形ＬＥＤランプ取付具を介してランプソケットに取り付けられる直管形ＬＥＤランプであって、直管形のＬＥＤランプ本体と、前記ＬＥＤランプ本体の端部の口金部に形成された段差部と、この段差部よりも小径でランプ端子側に筒状に延びた口金先端部とを備え、前記口金先端部は、前記直管形ＬＥＤランプ取付具が装着された前記ランプソケットに着脱自在に接続されることを特徴とする。
【００１４】
本発明の一実施形態においては、前記口金部に形成された段差部は、前記口金先端部の前記ランプソケットへの接続時に、前記直管形ＬＥＤランプ取付具に設けられた片部が嵌まる溝部を有する。
【発明の効果】
【００１５】
本発明によれば、専用直管形ＬＥＤランプ以外の直管形ＬＥＤランプ及び直管形蛍光ランプのランプソケットへの誤取付を確実に防止することにより、適切な組み合わせでの使用を推進して信頼性を確保することができる。
【図面の簡単な説明】
【００１６】
【図１】本発明の第１の実施形態に係る直管形ＬＥＤランプ取付具がランプソケットに装着された照明器具及びこれに取り付けられる直管形ＬＥＤランプを示す斜視図である。
【図２】同実施形態に係る直管形ＬＥＤランプの端部を示す斜視図である。
【図３】同実施形態に係る直管形ＬＥＤランプ取付具が装着されたランプソケットを示す斜視図である。
【図４】同実施形態に係る直管形ＬＥＤランプ取付具及びこれが取り付けられるランプソケットを示す斜視図である。
【図５】同実施形態に係る直管形ＬＥＤランプを直管形ＬＥＤランプ取付具を介してランプソケットに取り付けた状態を示す断面図である。
【図６】同実施形態に係る直管形ＬＥＤランプ取付具が装着されたランプソケットに従来の汎用直管形ＬＥＤランプを取り付けようとする様子を示す断面図である。
【図７】本発明の第２の実施形態に係る直管形ＬＥＤランプ取付具がランプソケットに装着された照明器具を示す斜視図である。
【図８】同実施形態に係る直管形ＬＥＤランプ取付具が装着されたランプソケットを示す斜視図である。
【図９】同実施形態に係る直管形ＬＥＤランプ取付具及びこれが取り付けられるランプソケットを示す斜視図である。
【図１０】同実施形態に係る直管形ＬＥＤランプ取付具を介して直管形ＬＥＤランプをランプソケットに取り付けた状態を示す断面図である。
【図１１】同実施形態に係る直管形ＬＥＤランプ取付具が装着されたランプソケットに従来の汎用直管形ＬＥＤランプを取り付けようとする様子を示す断面図である。
【図１２】本発明の第３の実施形態に係る直管形ＬＥＤランプ取付具がランプソケットに装着された照明器具を示す斜視図である。
【図１３】同実施形態に係る直管形ＬＥＤランプ取付具が装着されたランプソケットを示す斜視図である。
【図１４】同実施形態に係る直管形ＬＥＤランプ取付具及びこれが取り付けられるランプソケットを示す斜視図である。
【図１５】同実施形態に係る直管形ＬＥＤランプ取付具を介して直管形ＬＥＤランプをランプソケットに取り付けた状態を示す断面図である。
【図１６】同実施形態に係る直管形ＬＥＤランプ取付具が装着されたランプソケットに従来の汎用直管形ＬＥＤランプを取り付けようとする様子を示す断面図である。
【発明を実施するための形態】
【００１７】
以下、添付の図面を参照して、この発明の実施の形態に係る直管形ＬＥＤランプ取付具、直管形ＬＥＤランプ及びこれらを備えた照明器具を詳細に説明する。
【００１８】
［第１の実施形態］
図１は、本発明の第１の実施形態に係る直管形ＬＥＤランプ取付具がランプソケットに装着された照明器具及びこれに取り付けられる直管形ＬＥＤランプを示す斜視図である。また、図２は直管形ＬＥＤランプの端部を示す斜視図であり、図３は直管形ＬＥＤランプ取付具が装着されたランプソケットを示す斜視図、図４は直管形ＬＥＤランプ取付具及びこれが取り付けられるランプソケットを示す斜視図である。
【００１９】
更に、図５は、直管形ＬＥＤランプを直管形ＬＥＤランプ取付具を介してランプソケットに取り付けた状態を示す断面図である。なお、図５は、図３におけるＡ−Ａ’線に沿ったＡ−Ａ’断面を示している。まず、図１〜図５を参照して、本発明の第１の実施形態に係る直管形ＬＥＤランプ取付具、直管形ＬＥＤランプ及び照明器具について説明する。
【００２０】
図１に示すように、第１の実施形態に係る照明器具１００は、例えば矩形状断面を有する長尺な器具本体１０１と、この器具本体１０１の下部に長手方向に沿って取り付けられる直管形ＬＥＤランプ１０とを備えて構成されている。また、照明器具１００は、器具本体１０１の長手方向両端部の下方にそれぞれ突出するように設けられ、直管形ＬＥＤランプ１０が取り付けられるランプソケット２０を備えている。
【００２１】
更に、照明器具１００は、ランプソケット２０にこれを覆うように装着され、直管形ＬＥＤランプ１０以外のランプのランプソケット２０への誤取付を防止するための直管形ＬＥＤランプ取付具１を備えている。なお、照明器具１００の器具本体１０１及びランプソケット２０は、既存の一般的な構造の器具本体及びランプソケットで構成することができる。また、直管形ＬＥＤランプ１０は、器具本体１０１に適合するように作製された専用直管形ＬＥＤランプである。
【００２２】
直管形ＬＥＤランプ１０は、例えば長尺丸棒状のＬＥＤランプ本体１１と、このＬＥＤランプ本体１１の両端部にそれぞれ設けられた口金部１２とを備えて構成されている。ＬＥＤランプ本体１１及び口金部１２内には、例えばＬＥＤ基板やヒューズ基板等を有する電源基板を含む電源回路（図示せず）が内蔵されている。
【００２３】
直管形ＬＥＤランプ１０の口金部１２は、一般的な口金部とは次のように相違している。すなわち、口金部１２には、図２に示すように、ＬＥＤランプ本体１１の端部と結合される口金基端部１５と、この口金基端部１５の先端側で口金基端部１５の外径よりも小さな外径を有し、これにより所定の段差を形成する段差部１３と、この段差部１３よりも小径でランプ端子１１ａ側に筒状に延びるように形成された口金先端部１４が設けられている。
【００２４】
段差部１３は、例えば口金基端部１５及び口金先端部１４と別体に形成された部材を、口金先端部１４の外周側のＬＥＤランプ本体１１寄りの口金基端部１５にねじ止めにより取り付けることにより設けられている。なお、第１の実施形態における段差部１３の一部には、例えば直管形ＬＥＤランプ１０のランプソケット２０への取り付けの際に、直管形ＬＥＤランプ取付具１との位置決めに用いられる位置決め溝部１３ａが形成されている。ランプ端子１１ａは、口金先端部１４の先端側から例えば平行に２本突出するように設けられている。
【００２５】
ランプソケット２０は、直管形ＬＥＤランプ１０の両端部の口金部１２とそれぞれ対向するように器具本体１０１に設けられている。ランプソケット２０は、口金先端部１４の先端側に設けられたランプ端子１１ａとランプソケット２０の一部であるソケット部２１の端子挿入孔２１ａとが接続されることで、例えば器具本体１０１に取り付けられている電源端子（図示せず）と直管形ＬＥＤランプ１０に内蔵されている電源回路等とを接続する。
【００２６】
ランプソケット２０のソケット部２１は、ランプソケット２０に対して、例えば取り付けられる直管形ＬＥＤランプ１０の軸方向に進退自在な構造を備えている。ソケット部２１は、例えばランプソケット２０内に内蔵された図示しないバネ等の弾性体により、ランプソケット２０側から突出する方向に常時付勢されている。
【００２７】
一方、直管形ＬＥＤランプ取付具１は、図３及び図４に示すように、例えば耐熱温度が８０℃以上のポリカーボネイトやポリアミド等を原料とする樹脂成形部材からなる。直管形ＬＥＤランプ取付具１は、ランプソケット２０を覆うように取り付けられるソケットアダプタ２と、このソケットアダプタ２に設けられ、ソケットアダプタ２のランプソケット２０への装着状態を使用者が解除不能に固定する固定手段を構成する係合部６とを備えて構成されている。
【００２８】
係合部６は、図５に示すように、ランプソケット２０の一部であるソケット背面２０ａと係合する突起を有し、係合したランプソケット２０のソケット背面２０ａと共に、一旦係合すると外せないワンウェイ係合構造を備える。また、ソケットアダプタ２は、直管形ＬＥＤランプ１０の口金先端部１４をソケットアダプタ２に覆われたランプソケット２０に着脱自在に接続させる。
【００２９】
具体的には、ソケットアダプタ２は、第１の実施形態においては口金先端部１４を、ランプソケット２０側に向かって直管形ＬＥＤランプ１０の軸方向に進退自在に挿通させる挿通空間３を形成する円弧状の規制体４及び複数の係合片７を有する。挿通空間３は、円弧状の規制体４の環状周面４ａと係合片７の先端部とを通り円を描くように形成される環状の空間径が、口金先端部１４の外径よりも僅かに大きくなるように形成された空間である。
【００３０】
このように、挿通空間３の空間径が口金先端部１４の外径よりも大きいので、口金先端部１４は、挿通空間３をランプソケット２０側に進退自在に通ることができる。また、円弧状の規制体４は、専用直管形ＬＥＤランプ以外のランプを取り付けようとすると、ランプと干渉して取り付けを規制する。
【００３１】
また、規制体４の環状先端面４ｂは、例えば口金先端部１４の挿通空間３への挿通動作に伴った段差部１３の先端面１３ｂと、口金先端部１４が所定量以上挿通空間３に挿入された場合に当接する。すなわち、規制体４の環状先端面４ｂは、段差部１３のランプソケット２０側への移動を規制している。
【００３２】
なお、規制体４には、例えば上方中央の環状先端面４ｂから直管形ＬＥＤランプ１０の方向に突出するように形成された片部である板状の位置決め突起５が設けられている。この位置決め突起５は、口金先端部１４を挿通空間３に挿入した際に上述した段差部１３に形成された位置決め溝部１３ａに嵌まるように設けられている。
【００３３】
規制体４の基端部６ａは、ランプソケット２０のソケット部２１の外周側の先端部と当接して上記係合部６と共に固定手段の一部を構成する。従って、ソケットアダプタ２は、ランプソケット２０の上面２０ｂ及び側面２０ｃ（図４参照）と接触する部分（図示せず）と共に、係合部６と基端部６ａとでランプソケット２０に一旦係合したら取り外し不能に装着される。
【００３４】
第１の実施形態に係る照明器具１００は、上記のように構成された段差部１３及び口金先端部１４を有する口金部１２が設けられた直管形ＬＥＤランプ１０と、規制体４及び挿通空間３を有するソケットアダプタ２を備えた直管形ＬＥＤランプ取付具１とを備えることにより、図５に示すように、直管形ＬＥＤランプ１０の取付時には、ソケットアダプタ２が装着されたランプソケット２０に対して直管形ＬＥＤランプ１０を、その軸方向に移動させて口金先端部１４を挿通空間３を通してソケット部２１に接続することができる。
【００３５】
その逆に、直管形ＬＥＤランプ１０の取外し時には、取付時とは反対の軸方向に直管形ＬＥＤランプ１０を移動させて口金先端部１４を挿通空間３から抜き出せば良い。従って、照明器具１００においては、直管形ＬＥＤランプ１０を確実に位置決めして取り付けることが可能となると共に、容易に取り外すことが可能となるので、交換の際の利便性を従来と変わらず確保することができる。
【００３６】
一方、直管形ＬＥＤランプ取付具１が装着されたランプソケット２０に従来の汎用直管形ＬＥＤランプＬを取り付けようとする様子を表す図６に示すように、直管形ＬＥＤランプ取付具１が装着されたランプソケット２０に対し、従来の汎用直管形ＬＥＤランプＬを取り付けようとすると、ランプ端子Ｌａがソケット部２１の端子挿入孔２１ａ内にて接続される前に汎用直管形ＬＥＤランプＬの口金部Ｂの先端がソケットアダプタ２の規制体４に設けられた位置決め突起５の先端に当接する。
【００３７】
これにより、口金部Ｂは挿通空間３を通ることができないので、通常形状の口金部Ｂを有する汎用直管形ＬＥＤランプＬをランプソケット２０に取り付けることはできない。従って、照明器具１００は、器具本体１０１に対して不適合な組み合わせとなる汎用直管形ＬＥＤランプＬを取り付けて使用することはできない構造を実現している。
【００３８】
このように、第１の実施形態に係る照明器具１００によれば、使用者によって器具本体１０１に適合する組み合わせの直管形ＬＥＤランプ１０の交換は容易に行うことができるという利便性は確保しつつ、汎用直管形ＬＥＤランプＬのような器具本体１０１に対して不適合な組み合わせとなるものについては取り付けて使用することができないようにしている。このため、専用直管形ＬＥＤランプ以外のランプのランプソケットへの誤取付を確実に防止することができ、適切な組み合わせでの使用を推進して信頼性を確保することが可能となる。
【００３９】
［第２の実施形態］
図７は、本発明の第２の実施形態に係る直管形ＬＥＤランプ取付具がランプソケットに装着された照明器具を示す斜視図である。また、図８は直管形ＬＥＤランプ取付具が装着されたランプソケットを示す斜視図、図９は直管形ＬＥＤランプ取付具及びこれが取り付けられるランプソケットを示す斜視図である。
【００４０】
更に、図１０は、直管形ＬＥＤランプ取付具を介して直管形ＬＥＤランプをランプソケットに取り付けた状態を示す断面図である。なお、以降においては、既に説明した部分と重複する箇所には同一の符号を附して説明を割愛する場合があるとする。図７〜図１０に示すように、第２の実施形態に係る照明器具１００Ａは、基本的な構造や構成は第１の実施形態に係る照明器具１００と同様である。
【００４１】
すなわち、照明器具１００Ａは、直管形ＬＥＤランプ１０と同様に口金部１２に段差部１３が形成された口金先端部１４を備える直管形ＬＥＤランプ１０Ａ（図１０参照）と、この直管形ＬＥＤランプ１０Ａをランプソケット２０に取り付けるための直管形ＬＥＤランプ取付具１Ａとを備えている。これらの細部については、第１の実施形態のものとは異なっている。
【００４２】
図７に示すように、第２の実施形態に係る照明器具１００Ａは、直管形ＬＥＤランプ１０Ａを収容する凹状のランプ収容部１０３が形成された器具本体１０２を備えている。直管形ＬＥＤランプ１０Ａは、このランプ収容部１０３の凹状空間内に収容された状態で器具本体１０２に取り付けられる。ランプソケット２０は、器具本体１０２のランプ収容部１０３における長手方向端面にそれぞれ設けられている。
【００４３】
直管形ＬＥＤランプ取付具１Ａは、図８及び図９に示すように、下方が切り欠かれたソケットアダプタ２Ａを有する。ソケットアダプタ２Ａは、ランプソケット２０の上面２０ｂ及びこの上面２０ｂから続く側面２０ｃに嵌まるようにそれぞれ形成された係合片８ａ，８ｂを備えて構成されている。また、ソケットアダプタ２Ａは、ランプソケット２０の下部に形成された取付孔２０ｄに嵌まる複数のピン８ｄを、切り欠かれた部分の近傍に備えている。
【００４４】
なお、ソケットアダプタ２Ａの係合片８ａのランプソケット２０の上面２０ｂと対向する面には、例えばランプソケット２０の上面２０ｂに形成された凹部（図示せず）に嵌まる係合爪部８ｃが形成されている。ソケットアダプタ２Ａは、ランプソケット２０に対し、その下方からピン８ｄを取付孔２０ｄに嵌めながら係合片８ａ，８ｂを上面２０ｂ及び側面２０ｃに嵌め込んで、係合爪部８ｃを凹部に係合することにより、上述したような取り外し不能な係合構造を実現する。
【００４５】
更に、ソケットアダプタ２Ａは、直管形ＬＥＤランプ１０Ａの口金先端部１４を下方から装着するための装着空間３ａを形成する円弧状の規制体４を備えている。この規制体４は、上述したものと同様に、直管形ＬＥＤランプ１０Ａの段差部１３のランプソケット２０側への移動を規制する。
【００４６】
ランプソケット２０は、下方及び直管形ＬＥＤランプ１０Ａの方向に向かって開口するように形成されたスリット部２０ｅと連続する端子挿入スリット２１ｂを有するソケット部２１を備えている。ソケット部２１は、直管形ＬＥＤランプ１０Ａの軸を中心として回転可能な構造でランプソケット２０に設けられている。
【００４７】
このように構成された第２の実施形態に係る照明器具１００Ａにおいて、直管形ＬＥＤランプ１０Ａをランプソケット２０に取り付ける場合は、図９及び図１０に示すように、ランプ端子１１ａがスリット部２０ｅをそれぞれ通って端子挿入スリット２１ｂに嵌まるように、直管形ＬＥＤランプ１０Ａを器具本体１０２の下方から上方に向かって移動させる。
【００４８】
そして、直管形ＬＥＤランプ１０Ａを回転させることでソケット部２１を回転させることにより、ランプ端子１１ａと電源端子等とを接続する。取り外しに関しては、取り付けと逆の手順を行えば良い。ソケットアダプタ２Ａの規制体４は、口金先端部１４の外周に沿った曲面状の内周面４ｃを有するので、口金先端部１４を規制体４に接触させながら回転させることで、取り付け及び取り外しを容易に行うことが可能となる。
【００４９】
一方、直管形ＬＥＤランプ取付具１Ａが装着されたランプソケット２０に従来の汎用直管形ＬＥＤランプＬを取り付けようとする様子を表す図１１に示すように、直管形ＬＥＤランプ取付具１Ａが装着されたランプソケット２０に対し、汎用直管形ＬＥＤランプＬを下方から取り付けようとすると、口金部Ｂが規制体４に当たってしまうのでランプ端子Ｌａが規制体４の下方の装着空間３ａを通ったとしても、スリット部２０ｅや端子挿入スリット２１ｂに完全に嵌まることはない。このように、第２の実施形態に係る照明器具１００Ａにおいても、第１の実施形態に係る照明器具１００と同様の作用効果を奏することが可能となる。
【００５０】
［第３の実施形態］
図１２は、本発明の第３の実施形態に係る直管形ＬＥＤランプ取付具がランプソケットに装着された照明器具を示す斜視図である。また、図１３は直管形ＬＥＤランプ取付具が装着されたランプソケットを示す斜視図、図１４は直管形ＬＥＤランプ取付具及びこれが取り付けられるランプソケットを示す斜視図である。
【００５１】
更に、図１５は、直管形ＬＥＤランプ取付具を介して直管形ＬＥＤランプをランプソケットに取り付けた状態を示す断面図である。図１２〜図１５に示すように、第３の実施形態に係る照明器具１００Ｂは、第１の実施形態に係る照明器具１００の器具本体１０１と第２の実施形態に係る照明器具１００Ａのランプソケット２０及び直管形ＬＥＤランプ１０Ａとを組み合わせたような構造を備えるが、基本的な構造や構成はこれらの照明器具１００，１００Ａと同様である。
【００５２】
すなわち、照明器具１００Ｂは、直管形ＬＥＤランプ１０Ａ（図１５参照）と、この直管形ＬＥＤランプ１０Ａをランプソケット２０に取り付けるための直管形ＬＥＤランプ取付具１Ｂとを備えている。直管形ＬＥＤランプ取付具１Ｂは、図１３及び図１４に示すように、複数のスリット９が形成されたソケットアダプタ２Ｂを有する。
【００５３】
ソケットアダプタ２Ｂは、これらのスリット９により、ランプソケット２０への装着時に弾性変形し易い構造を備えている。ソケットアダプタ２Ｂは、図１５に示すように、係合部６によりランプソケット２０のソケット背面２０ａに係合し、上記のような取り外し不能な係合構造を備えている。
【００５４】
更に、ソケットアダプタ２Ｂは、直管形ＬＥＤランプ１０Ａの口金先端部１４を下方から装着するための装着空間３ａを形成する円弧状の規制体４を備えている。この規制体４は、上述したものと同様に、直管形ＬＥＤランプ１０Ａの段差部１３のランプソケット２０側への移動を規制する。
【００５５】
ランプソケット２０は、下方及び直管形ＬＥＤランプ１０Ａの方向に向かって開口するように形成されたスリット部２０ｅと連続する端子挿入スリット２１ｂを有し、装着空間３ａに突出するソケット部２１を備えている。ソケット部２１は、上記のように一部が回転可能な構造を備えてランプソケット２０に設けられている。
【００５６】
このように構成された第３の実施形態に係る照明器具１００Ｂにおいて、直管形ＬＥＤランプ１０Ａをランプソケット２０に取り付ける場合は、図１４及び図１５に示すように、ランプ端子１１ａがスリット部２０ｅをそれぞれ通って端子挿入スリット２１ｂに嵌まるように、直管形ＬＥＤランプ１０Ａを器具本体１０１の下方から上方に向かって移動させる。
【００５７】
そして、直管形ＬＥＤランプ１０Ａを回転させることでソケット部２１を回転させることにより、ランプ端子１１ａと電源端子等とを接続する。取り外しに関しては、取り付けと逆の手順を行えば良い。ソケットアダプタ２Ｂの規制体４は、口金先端部１４の外周に沿った曲面状の内周面４ｃを有するので、口金先端部１４を規制体４に接触させながら回転させることで、取り付け及び取り外しを容易に行うことが可能となる。
【００５８】
一方、直管形ＬＥＤランプ取付具１Ｂが装着されたランプソケット２０に従来の汎用直管形ＬＥＤランプＬを取り付けようとする様子を表す図１６に示すように、直管形ＬＥＤランプ取付具１Ｂが装着されたランプソケット２０に対し、汎用直管形ＬＥＤランプＬを下方から取り付けようとすると、口金部Ｂが規制体４に当たってしまうのでランプ端子Ｌａがスリット部スリット部２０ｅや端子挿入スリット２１ｂに完全に嵌まることはない。このように、第３の実施形態に係る照明器具１００Ｂにおいても、第１及び第２の実施形態に係る照明器具１００，１００Ａと同様の作用効果を奏することが可能となる。
【符号の説明】
【００５９】
１，１Ａ，１Ｂ  直管形ＬＥＤランプ取付具
２，２Ａ，２Ｂ  ソケットアダプタ
３              挿通空間
３ａ            装着空間
４              規制体
４ａ            環状周面
４ｂ            環状先端面
５              位置決め突起
６              係合部
６ａ            基端部
７，８ａ，８ｂ  係合片
９              スリット
１０，１０Ａ    直管形ＬＥＤランプ
１１            ＬＥＤランプ本体
１１ａ          ランプ端子
１２            口金部
１３            段差部
１３ａ          位置決め溝部
１３ｂ          先端面
１４            口金先端部
２０            ランプソケット
２１            ソケット部
１０１，１０２  器具本体
１００          照明器具
【図１】
2014235797.tif 000003
【図２】
2014235797.tif 000004
【図３】
2014235797.tif 000005
【図４】
2014235797.tif 000006
【図５】
2014235797.tif 000007
【図６】
2014235797.tif 000008
【図７】
2014235797.tif 000009
【図８】
2014235797.tif 000010
【図９】
2014235797.tif 000011
【図１０】
2014235797.tif 000012
【図１１】
2014235797.tif 000013
【図１２】
2014235797.tif 000014
【図１３】
2014235797.tif 000015
【図１４】
2014235797.tif 000016
【図１５】
2014235797.tif 000017
【図１６】
2014235797.tif 000018